(57)【要約】【課題】構造の大型化や汎用性の低下を回避しつつ、容器の座屈を確実に抑制する容器支持把手を提供すること。【解決手段】容器Ｂに装着される容器支持把手１０であって、容器首部Ｂ１の外周に取り付けられる環状のアタッチメント部２０と、アタッチメント部２０から外側下方に向けて延びるハンドル部３０と、アタッチメント部２０に連続して形成される補強カバー部４０とを備え、補強カバー部４０は、容器肩部Ｂ２を超えて容器胴部Ｂ３に達する大きさで形成されている容器支持把手１０。【選択図】図２
2015196541.tif 000002
【特許請求の範囲】
【請求項１】
容器に装着される容器支持把手であって、
容器首部の外周に取り付けられる環状のアタッチメント部と、
前記アタッチメント部から外側下方に向けて延びるハンドル部と、
前記アタッチメント部に連続して形成される補強カバー部とを備え、
前記補強カバー部は、その先端部が容器肩部を超えて容器胴部に達する大きさで形成されていることを特徴とする容器支持把手。
【請求項２】
前記補強カバー部は、前記容器首部の直径以上の幅を有することを特徴とする請求項１に記載の容器支持把手。
【請求項３】
前記補強カバー部は、前記容器肩部の容器形状に沿う形状を有するとともに、前記環状のアタッチメント部の中央を中心とした中心角が１８０°以下の範囲で広がる略扇状に形成されていることを特徴とする請求項１または請求項２に記載の容器支持把手。
【請求項４】
前記補強カバー部は、前記環状のアタッチメント部を中心として、前記ハンドル部の対向位置に形成されていることを特徴とする請求項１乃至３に記載の容器支持把手。
【請求項５】
前記アタッチメント部は、その環状の一部を開閉可能にする開閉部を有し、
前記開閉部には、ロック機構が設けられていることを特徴とする請求項１乃至請求項４のいずれかに記載の容器支持把手。
【請求項６】
前記補強カバー部には、前記環状のアタッチメント部の中央を中心とした径方向に延び、その内面側を凹ませて外面側に突出させた形状を有する補強リブ部が形成されていることを特徴とする請求項１乃至請求項５のいずれかに記載の容器支持把手。
【請求項７】
前記請求項１乃至請求項６の何れかに記載の容器支持把手を容器に装着した把手付き容器。
【発明の詳細な説明】
【技術分野】
【０００１】
本発明は、容器に装着される容器支持把手およびその把手を用いた把手付き容器に関し、特に、容量５Ｌ以上の大型容器に装着される容器支持把手およびその把手を用いた把手付き容器に関する。
【背景技術】
【０００２】
従来、飲料用容器等においては、容器運搬時や内容物の注出時等に容器を持ち易くするために、ハンドル部を有した容器支持把手を容器首部に取り付けることが一般に知られている（特許文献１を参照）。
【０００３】
この特許文献１に記載される容器支持把手は、容器首部の外側に巻き付け状態にして係止させるバンド状係止部と、このバンド状係止部から外方に一体に延出させた把持部とを備え、バンド状係止部の一端および他端に互いに係合可能な係合部が形成されており、容器首部にバンド状係止部を巻き付けた後に前記係合部を係合させることにより、容器首部にバンド状係止部が取り付けられる。
【０００４】
ところが、このような特許文献１の容器支持把手では、容器に対する容器支持把手の取付箇所が、他の部位よりも細い容器首部であるため、内容物の注出時等、把持部を持って容器を傾けた際に、内容物の重量に起因して細い容器首部や容器肩部に過度な負荷がかかり、容器首部や容器肩部に座屈を生じる恐れがあるという問題があった。
【０００５】
そこで、上述したような問題を解決する１つの案として、容器首部の外周に取り付けられる環状の取付部に連続して、容器肩部を部分的にカバーするスカート部を設け、このスカート部によって容器への負荷を分散させることも考えられる（特許文献２を参照）。
【先行技術文献】
【特許文献】
【０００６】
【特許文献１】実開昭５９−１６５３３１号公報
【特許文献２】特開２００２ー１７９０７０号公報
【特許文献３】実開昭６１−９０７２８号公報
【発明の概要】
【発明が解決しようとする課題】
【０００７】
しかしながら、特許文献２の液体用ハンドルを大型容器に適用した場合、例えば容量５Ｌの大型容器内を液体内容物によって満たすと全重量が約５ｋｇと非常に重くなることから、内把持部を持って容器を傾けた際に、スカート部の先端側縁部（外周側縁部）と容器肩部との接触によって、スカート部の先端側縁部付近における容器肩部に過度な負荷がかかり、容器肩部に座屈が生じるという問題があった。
【０００８】
また、上述したような問題を解決する他の案として、容器首部ではなく容器胴部の上端付近に、環状のアタッチメント部を取り付けることも考えられる。（特許文献３を参照）。この特許文献３の容器支持把手では、外周側に膨出するボトル本体係止部を容器胴部の上端に設け、このボトル本体係止部を利用して、容器肩部の下端から容器胴部の上端に亘る位置に、環状のアタッチメント部を構成する上部リングおよび下部リングを取り付けている。
【０００９】
ところが、特許文献３の容器支持把手のように、径が大きい容器胴部の上端付近に環状のアタッチメント部を取り付ける場合、アタッチメント部のサイズを大きくする必要があるため、構造が大型化しコストが高くなるという問題があり、また、容器に対して環状のアタッチメント部を確実に取り付けるためには、上述したボトル本体係止部等の加工を容器胴部の上端付近に施す必要が生じ、容器側の設計自由度が損なわれることになる。更には、一般に容器胴部の形状は様々であるため、特許文献１のように容器首部にアタッチメント部を取り付ける場合と比較して、容器支持把手の汎用性が低くなるという問題もある。
【００１０】
そこで、本発明は、これらの問題点を解決するものであり、構造の大型化や汎用性の低下を回避しつつ、容器の座屈を確実に抑制する容器支持把手を提供することを目的とするものである。
【課題を解決するための手段】
【００１１】
本発明は、容器に装着される容器支持把手であって、容器首部の外周に取り付けられる環状のアタッチメント部と、前記アタッチメント部から外側下方に向けて延びるハンドル部と、前記アタッチメント部に連続して形成される補強カバー部とを備え、前記補強カバー部は、その先端部が容器肩部を超えて容器胴部に達する大きさで形成されていることにより、前記課題を解決するものである。
【発明の効果】
【００１２】
本請求項１に係る発明によれば、アタッチメント部に連続して形成される補強カバー部を設けることにより、容器の内容物を他容器に移し変える際等に補強カバー部によって容器にかかる負荷を分散させ、細い首部に負荷が集中することを抑制することができるばかりでなく、補強カバー部が容器肩部を超えて容器胴部に達する長さで形成されていることにより、５Ｌの容量を有するような大型容器に容器支持把手を適用した場合であっても、容器肩部から容器胴部にかけての補強カバー部の先端側縁部付近において、容器が座屈を生じることを抑制することができる。
【００１３】
本請求項２に係る発明によれば、補強カバー部が容器首部の直径以上の幅を有することにより、補強カバー部の強度を確保するとともに、容器に対して負荷が局部的にかかることを抑制し、容器の座屈を確実に抑制することができる。
本請求項３に係る発明によれば、補強カバー部が、容器肩部の容器形状に沿う形状を有するとともに、環状のアタッチメント部の中央を中心として広がる略扇状に形成されていることにより、補強カバー部と容器との接触面積を大きく確保して容器にかかる負荷を良好に分散するとともに、容器肩部から容器胴部にかけての補強カバー部の先端側縁部付近において容器に対して負荷が局部的にかかることを回避し、また、略扇状の補強カバー部の中心角を１８０°以下に設定することにより、成形金型を用いて容器支持把手を製造する場合に良好な離型性を確保することができる。
本請求項４に係る発明によれば、補強カバー部が、環状のアタッチメント部を中心としてハンドル部の対向位置に形成されていることにより、使用者の手首に負担をかけることなく容器の内容物の移し変え等が容易に可能となり、また、容器の内容物を移し変える際等に、容器に座屈を生じさせることなく、内容物を良好に注ぎ出すことができる。また、補強カバー部とハンドル部とが互いに対向する位置に形成されていることにより、成形金型を用いて製造した場合の離型性が良好となり、容器支持把手の製造が容易になる。
本請求項５に係る発明によれば、アタッチメント部がその環状の一部を開閉可能にする開閉部を有し、開閉部にはロック機構が設けられていることにより、アタッチメント部を容器首部に容易かつ確実に取り付けることが可能であり、容器首部に対するアタッチメント部の装着性およびアタッチメント部による容器保持性を向上することができる。
本請求項６に係る発明によれば、補強カバー部に、環状のアタッチメント部の中央を中心とした径方向に延び、その内面側を凹ませて外面側に突出させた形状を有する補強リブ部が形成されていることにより、補強リブ部によって補強カバー部の強度を向上することができるばかりでなく、容器の外面に凸状補強リブ部が形成されている場合に、補強カバー部の補強リブ部の内面側凹部を、容器の凸状補強リブ部に係合させることで、容器に対して容器支持把手を位置決めすることができるとともに、容器首部を中心とした容器支持把手の回転を防止することができる。
本請求項７に係る発明によれば、容器の座屈が防止され、容器の内容物の移し変え等が容易となり、容器支持用把手のアタッチメント部の取り付け、装着性、容器保持性を向上させることが可能となり、また、容器支持把手の回転防止等を行うことができる。
【図面の簡単な説明】
【００１４】
【図１】本発明の一実施形態である容器支持把手を容器に取り付けた状態を示す斜視図。
【図２】容器支持把手を容器に取り付けた状態を示す正面図。
【図３】容器支持把手を容器に取り付けた状態を示す上面図。
【図４】容器支持把手を示す斜視図。
【図５】図４とは異なる角度から見て容器支持把手を示す斜視図。
【発明を実施するための形態】
【００１５】
以下に、本発明の一実施形態である容器支持把手１０について説明する。
【００１６】
容器支持把手１０は、図１に示すように、容器Ｂの容器首部Ｂ１に着脱可能に取り付けられるものであり、容器首部Ｂ１の外周に取り付けられる環状のアタッチメント部２０と、使用者が把持するためのハンドル部３０と、アタッチメント部２０に連続して形成される板状の補強カバー部４０とを備えている。
【００１７】
まず、アタッチメント部２０は、図４や図５に示すように、一部に開閉可能な開閉部２１を有した環状に形成されており、具体的には、第１ベース部材２２と第２ベース部材２３とから構成されている。第１ベース部材２２と第２ベース部材２３の一端は、ヒンジ部２４によって接続され、他端は、ロック機構２５によって開閉可能にロックされている。
【００１８】
なお、アタッチメント部２０は容器Ｂの容器首部Ｂ１に添う環状に形成されていれば良いが、他容器への汎用性を考慮すると、図４や図５に示すように、一部に開閉可能な開閉部を有していることが好適である。また、アタッチメント部２０を剛性のある材料・形状で形成した場合には、開閉部に対向する位置にヒンジ部２４を設けることが、アタッチメント部２０を容易に取り付けるために好適である。
また、ロック機構２５は、図１や５に示す形状のように、二重ロック機構にすると、容器首部Ｂ１への装着性およびロック性がより確実となるため好適である。
【００１９】
ハンドル部３０は、図１や図３に示すように、環状のアタッチメント部２０を中心とした補強カバー部４０の対向位置に、アタッチメント部２０から外側下方に向けて延びるように、第１ベース部材２２に一体に形成されている。そして、容器Ｂに容器支持把手１０を装着した状態で、容器Ｂとハンドル部３０との間に把持空間ができるように形成される。
【００２０】
また、補強カバー部４０は、図４や図５に示すように、第２ベース部材２３に一体に形成されており、図１や図２に示すように、容器首部Ｂ１の下方から容器胴部Ｂ３の上端の容器形状に沿う形状を有している。補強カバー部４０は、図３に示すように、環状のアタッチメント部２０、即ち、容器首部Ｂ１の中央を中心として所定の中心角で広がる略扇状に形成され、その先端側縁部が容器肩部Ｂ２を超えて容器胴部Ｂ３に達する大きさを有している（図２参照）。そして、補強カバー部４０は、使用者の手首に負担をかけることなく容器の内容物の移し変え等を容易にするために、図示する例のように、環状のアタッチメント部２０を中心としてハンドル部３０の対向位置に形成されていることが好適である。
【００２１】
なお、補強カバー部４０の大きさや形状等の具体的形態は、アタッチメント部２０に連続して形成され、容器支持把手１０を容器Ｂに装着した状態で容器胴部Ｂ３の上端に達するものであれば、如何なるものでもよく、例えば、補強カバー部４０の一部にスリット等を設けてもよい。また、補強カバー部４０の強度の確保や容器Ｂに対する負荷の分散の観点から、補強カバー部４０の幅は、容器首部Ｂ１の直径以上を有しているのが望ましい。また、補強カバー部４０を略扇状に形成する場合、成形金型からの離型性を考慮すると、環状のアタッチメント部２０の中央を中心とした中心角α（図３参照）を１８０°以下に設定するのが好ましく、更に、容器Ｂへの装着性や容器Ｂの座屈防止性能を考慮すると、容器首部Ｂ１を中心とした中心角を３０°〜１５０°、より好適には６０°〜１２０°に設定するのが望ましい。
【００２２】
また、補強カバー部４０の周方向中央には、図４や図５に示すように、環状のアタッチメント部２０の中央を中心とし、環状のアタッチメント部２０の第２ベース部材２３から径方向に延びる補強リブ部４１が形成されている。そして、補強リブ部４１は、その内面側を凹ませて外面側に突出させた形状を有し、容器Ｂに対して容器支持把手１０を装着した状態では、補強リブ部４１の内面側凹部４１ａが、後述する容器Ｂの容器首部Ｂ１から容器肩部Ｂ２の外面に形成した凸状補強リブ部Ｂ４の１つに係合する。
【００２３】
なお、補強リブ部４１は、環状アタッチメント部２０の中央を中心とした径方向に延びた形状であり、後述する容器Ｂに形成した凸状補強リブ部Ｂ１に係合するものであれば、その数、形状、位置などには特に制限はない。図示した例のように、環状のアタッチメント部２０から径方向に延びる形状とすると、環状のアタッチメント部２０、ハンドル部３０、補強カバー部４０がより一体となり、装着性、容器保持性、容器支持把手１０の回転防止性が向上するため好適である。
【００２４】
容器支持把手１０の主要構成要素である第１ベース部材２２、第２ベース部材２３、ハンドル部３０、および、補強カバー部４０は、ポリプロピレン等の合成樹脂から形成されている。
【００２５】
つぎに、容器Ｂの構成について説明する。
【００２６】
容器Ｂは、ポリエチレンテレフタレート（ＰＥＴ）等の合成樹脂から形成され、容量５Ｌの大型飲料用容器として構成されている。なお、容器Ｂの具体的な用途、材料、大きさ等は如何なるものでもよい。
【００２７】
容器Ｂは、図１や図２に示すように、容器首部Ｂ１と、容器胴部Ｂ３と、容器首部Ｂ１と容器胴部Ｂ３との間に形成された容器肩部Ｂ２とを備えている。容器胴部Ｂ３は、容器Ｂを水平面に置いた状態で、水平方向に対して垂直な面をその上端に有している。そして、容器肩部Ｂ２の外面には、容器首部Ｂ１の中央を中心とした径方向に延びる複数の凸状補強リブ部Ｂ４が形成され、前述した容器支持把手１０の補強カバー部４０に形成した補強リブ部４１が係合される。
【００２８】
なお、凸状補強リブ部Ｂ４は、容器首部Ｂ１の中央を中心とした径方向に延びた形状であり、容器支持把手１０の補強リブ部４１に係合するものであれば、その数、形状、位置などには特に制限はない。図示した例のように、容器首部Ｂ１や容器肩部Ｂ２の上端から径方向に延びる形状とすると、環状のアタッチメント部２０、ハンドル部３０、補強カバー部４０がより一体となり、装着性、容器保持性、容器支持把手の回転防止性が向上するため好適である。
【符号の説明】
【００２９】
１０    ・・・  容器支持把手
２０    ・・・  アタッチメント部
２１    ・・・  開閉部
２２    ・・・  第１ベース部材
２３    ・・・  第２ベース部材
２４    ・・・  ヒンジ部
２５    ・・・  ロック機構
３０    ・・・  ハンドル部
４０    ・・・  補強カバー部
４１    ・・・  補強リブ部
４１ａ  ・・・  内面側凹部
Ｂ    ・・・  容器
Ｂ１  ・・・  容器首部
Ｂ２  ・・・  容器肩部
Ｂ３  ・・・  容器胴部
Ｂ４  ・・・  凸状補強リブ部
【図１】
2015196541.tif 000003
【図２】
2015196541.tif 000004
【図３】
2015196541.tif 000005
【図４】
2015196541.tif 000006
【図５】
2015196541.tif 000007